(57)【特許請求の範囲】
【請求項１】
前開き型式の上衣本体（２）の下部に下衣の中へ挿入可能な内裾部（３）を縫着し、上衣本体（２）および内裾部（３）の前開口縁に左右分離可能なスライドファスナ（４）を縫い付けるとともに、上衣本体（２）の外側に下衣の腰部を覆う外裾部（５）を縫着し、この外裾部（５）の前開口縁に左右分離可能なファスナ（６）を縫い付けてなることを特徴とする防塵上衣（１）。
【請求項２】
上衣本体（２）および外裾部（５）を導電入りの布により構成することを特徴とする請求項１記載の防塵上衣（１）。
【請求項３】
内裾部（３）を高編み密度のニットにより構成することを特徴とする請求項１記載の防塵上衣（１）。
【発明の詳細な説明】
【０００１】
【発明の技術分野】
本発明は、クリーンルームなどの清浄作業空間で着用するセパレートタイプの防塵服の上衣に関する。
【０００２】
【従来の技術】
通常、セパレートタイプの防塵服は、上衣と下衣とで構成されている。着用者は、着衣内からの塵埃や異物の流出を防止するため、上衣の裾をズボンなどの下衣の中に入れて使用している。ところが、この着用状態では、体裁が悪く、特に女性の作業者に不評であること、着用者の動きによって、衣服内の空気圧で、衣服（下衣）内の異物が外部へ噴出するという問題があった。
【０００３】
そこで、その解決策として、上衣の裾部分を二重にし、内側の裾部を下衣の中に挿入するというものが提案された。これにより体裁上の問題が解決されたが、衣服内の異物の噴出という問題の解決が不充分であった。
【０００４】
それは、下記の理由による。すなわち、二重の裾部分が通常の上衣の内側に別布の裾部分を縫い付けた構造となっており、上衣の前側開口縁がスライドファスナによって閉じる形式となっている。このため、前面の掛け合わせ部分のファスナを閉じた状態でも、内側の裾部分の掛け合わせ部分やファスナの縫い付け部分で開口部が形成されるのを避けることができなかったからである。開口部の完全な閉鎖は技術的に不可能ではないが、加工・縫製工程が煩雑になり、実際的な解決方法として不適当であった。
【０００５】
【発明の目的】
したがって、本発明の目的は、前開き形式の防塵上衣において、二重の裾部分を構成するにあたり、内側の裾部分を開口部のない状態として構成し、衣服内の異物の噴出を防止できるようにすることである。
【０００６】
【発明の解決手段】
上記目的の下に、本発明は、前開き型式の上衣本体の下部に下衣の中へ挿入可能な内裾部を縫着し、上衣本体および内裾部の前開口縁に左右分離可能なスライドファスナを縫い付けるとともに、上衣本体の外側に下衣の腰部を覆う外裾部を縫着し、この外裾部の前開口縁に左右分離可能なファスナを縫い付けて、防塵上衣を構成している。ここで、上衣本体および外裾部は、好ましくは導電入りの布により構成する。
【０００７】
上記構造によって、着用時に、上衣本体および内裾部の前開口部は、掛け合わせ状態となり、スライドファスナによって完全に閉じられ、開口を形成しない。このため内裾部がズボンなどの下衣の中に挿入された状態で、着用者の動きによる衣服内の空気圧の変化によっても、衣服内の異物が外部へ噴出することなく、防塵服内からの発塵が未然に防止できる。
【０００８】
【発明の実施の形態】
図１、２、３は、本発明の防塵上衣１を示している。防塵上衣１は、前開き型式の上衣本体２の下部に下衣の中へ挿入可能な内裾部３を縫着し、上衣本体２および内裾部３の前開口縁に左右分離可能なスライドファスナ４を縫い付けるとともに、上衣本体２の外側に下衣の腰部を覆う外裾部５を縫着し、この外裾部５の前開口縁に左右分離可能なファスナ６を縫い付けることにより構成されている。
【０００９】
上衣本体２は、例えば導電糸入りの織り密度の高い布により構成されており、例えばスタンドカラー形式のネック７、ラグラン形式の袖８、袖口ゴム９、内袖１０、内袖ゴム１１によって、首や手首に密着する構成となっている。また、内裾部３は、例えば細い化学繊維で、通気性に優れた高編み密度のニットによって構成されており、上衣本体２の腰周りに対応する下部にそって前開き形式のものとして縫い付けられている。
【００１０】
そして、左右に分離可能なスライドファスナ４は、上衣本体２および内裾部３の前開口縁にそって縫い付けられており、首の部分から内裾部３の一番下または下よりやや上の部分まで縫い付けられている。
【００１１】
また、外裾部５は、同様に、前開き形式のものとして、上衣本体２の外側で、腰周りにそって縫い付けられており、例えば上衣本体２と同じ布地であって、内裾部３よりもやや短いものとして構成されている。この外裾部５の前開口縁に左右に分離可能なファスナ６例えばマジックテープ（登録商標）が縫い付けられており、これによって開口部を掛け合わせて閉じられるようになっている。なお、上衣本体２の腰の部分に必要に応じて、腰紐などが取り付けられる。
【００１２】
なお、外裾部５は、前開口部分で掛け合わせられるような長さとなっており、このため、その上端部分の縫い付け部分は、スライドファスナ４の縫い付け部分と交差しないように、あるいは深く交差しないようになっている。また、上衣本体２のスライドファスナ４は、比翼仕立てによって、外部に直接露出しないようになっている。
【００１３】
図４に示すように、防塵上衣１は、防塵用の下衣としてのズボン１２とともに用いられる。そこで、着用者は、左右の袖８に手を通し、左右の前身頃ごとに独立しているスライドファスナ４を下端部分で一体化し、スライドファスナ４のスライダを引き上げることによって、上衣本体２および内裾部３の左右の前身頃をつなぎ合わせて一体化してから、外裾部５の左右の前身頃を重ね合わせて、ファスナ６によって閉じる。
【００１４】
このような着用状態で、上衣本体２および内裾部３の前の開口部は、スライドファスナ４によって完全に閉じられ、しかも内裾部３は、ズボン１２の内部に入れられ、ズボン１２の腰のベルトまたはゴムなどによって体の腰周りに押し当てられている。このため、着用者が動いて、防塵上衣１の内部圧力あるいはズボン１２の内部圧力が変化したとしても、内部の空気、その空気内の塵埃や異物などは、防塵上衣１やズボン１２などの内部で移動するだけで、腰の部分などから、外部に噴出しない。
【００１５】
なお、スライドファスナ４は、開口部を密閉するものあれば、他のファスナ例えば長いマジックテープ（登録商標）などにより構成することもできる。また、分離可能なファスナ６は、外裾部５の左右をつなぎ合わせる形式のものであればよく、したがって、フック、ボタンその他の止め具によって構成することもできる。さらに、上衣本体２の腰の部分に対する内裾部３や外裾部５の縫い付け部分は、ウエストベルトなどとして構成することもでき、既述の通り、必要に応じてその内部に紐などを通して、腰部分を絞る形式のものとして構成することもできる。
【００１６】
【発明の効果】
本発明では、上衣本体の裾部分に内裾部と外裾部とが二重構造となって設けられており、上衣本体と内裾部とがスライドファスナによって完全に閉じられ、開口部を形成しない状態で一体化するため、内裾部が下衣（ズボン）の中へ挿入されると、上衣本体の内部が外部に通じない状態となり、開口部が形成されないため、着用者の動きによって、衣服内の空気圧が変化したとしても、防塵上衣内の空気が塵埃や異物などとともに外部に噴出せず、発塵が未然に防止できる。しかも、上記の防塵上衣によると、構造が簡単であり、加工工程（縫製工程）も複雑にならず、その製造が容易である。
【図面の簡単な説明】
【図１】本発明の防塵上衣の前閉じ状態での正面図である。
【図２】本発明の防塵上衣の前開き状態での正面図である。
【図３】本発明の防塵上衣の背面図である。
【図４】本発明の防塵上衣の着用時の断面図である。
【符号の説明】
１  防塵上衣
２  上衣本体
３  内裾部
４  スライドファスナ
５  外裾部
６  ファスナ
７  ネック
８  袖
９  袖口ゴム
１０  内袖
１１  内袖ゴム
１２  防塵用の下衣としてのズボン
【図１】
0003719564.tif 000002
【図２】
0003719564.tif 000003
【図３】
0003719564.tif 000004
【図４】
0003719564.tif 000005